(57)【特許請求の範囲】
【請求項１】
内容物が収容される容器本体の口部を閉塞し、かつ前記容器本体内に連通する連通孔が形成された蓋部材と、
前記蓋部材に配設され、前記連通孔をその径方向の外側から囲繞する筒状のホルダ部材と、
前記ホルダ部材の内側に配設され、内容物を被塗布部に塗布する塗布部材と、を備え、
前記ホルダ部材の内周面には、その内側に向けて突出し、前記塗布部材の外周面に形成された係合凹部に嵌合される装着突部が設けられ、
前記塗布部材は、前記蓋部材上に配設され、
前記蓋部材には、前記塗布部材の下面に突き刺さる係止ピンが上方に向けて突設され、
前記蓋部材における前記連通孔の開口縁に、延長筒部が上方に向けて突設され、
前記塗布部材に、前記延長筒部が嵌合された貫通孔が形成されている、
ことを特徴とする塗布具。
【請求項２】
前記係止ピン及び前記装着突部の下面は、互いに上下に対向している、
ことを特徴とする請求項１に記載の塗布具。
【請求項３】
前記装着突部は、前記ホルダ部材の内周面に、その全周にわたって連続して延びている、
ことを特徴とする請求項１または２に記載の塗布具。
【発明の詳細な説明】
【技術分野】
【０００１】
本発明は、塗布具に関するものである。
【背景技術】
【０００２】
内容物を収容する容器本体の口部に装着され、容器本体内に連通する連通孔が形成された装着部材と、装着部材に備え付けられ、内側が連通孔に連通する筒状のホルダ部材と、ホルダ部材の内側に配設され、内容物を被塗布部に塗布する塗布部材と、を備える、塗布具が提案されている（例えば、特許文献１参照）。このような塗布具では、スポンジなどで形成された塗布部材は、ホルダ部材の内周面に全周にわたって設けられた装着突部に係止させることにより、ホルダ部材内で保持されている。
【先行技術文献】
【特許文献】
【０００３】
【特許文献１】特開２００４−９１００３号公報
【発明の概要】
【発明が解決しようとする課題】
【０００４】
しかしながら、上記従来の塗布具では、塗布部材をより強くホルダ部材内に保持させることについて改善の余地があった。
【０００５】
本発明は、上述した事情に鑑みてなされたものであって、塗布部材を強くホルダ部材内に保持させることができる塗布具を提供することを目的とする。
【課題を解決するための手段】
【０００６】
上記課題を解決するために、本発明は以下の手段を提案している。
本発明の塗布具は、内容物が収容される容器本体の口部を閉塞し、かつ前記容器本体内に連通する連通孔が形成された蓋部材と、前記蓋部材に配設され、前記連通孔をその径方向の外側から囲繞する筒状のホルダ部材と、前記ホルダ部材の内側に配設され、内容物を被塗布部に塗布する塗布部材と、を備え、前記ホルダ部材の内周面には、その内側に向けて突出し、前記塗布部材の外周面に形成された係合凹部に嵌合される装着突部が設けられ、前記塗布部材は、前記蓋部材上に配設され、前記蓋部材には、前記塗布部材の下面に突き刺さる係止ピンが上方に向けて突設され、前記蓋部材における前記連通孔の開口縁に、延長筒部が上方に向けて突設され、前記塗布部材に、前記延長筒部が嵌合された貫通孔が形成されている、ことを特徴とする。
【０００７】
本発明によれば、蓋部材に塗布部材の下面に突き刺さる係止ピンが上方に向けて突設されているため、塗布部材のうち係合凹部よりも下方に位置する部分が径方向に変位することを規制でき、装着突部が係合凹部から外れることを防止できる。したがって、塗布部材を強くホルダ部材内に保持させることができる。
【０００８】
上記の塗布具において、前記係止ピン及び前記装着突部の下面は、互いに上下に対向している、ことが望ましい。
本発明によれば、係止ピン及び装着突部の下面は、互いに上下に対向しているため、塗布部材のうち係止ピンが突き刺された部分を、装着突部により上方から支持することができる。このため、塗布部材に係止ピンが突き刺さった状態を確実に維持することができ、塗布部材をより強くホルダ部材内に保持させることができる。
【０００９】
上記の塗布具において、前記装着突部は、前記ホルダ部材の内周面に、その全周にわたって連続して延びている、ことが望ましい。
本発明によれば、装着突部が周方向の全周に亘って連続して延びているため、装着突部による塗布部材の係止をより強固に行うことができる。したがって、塗布部材をより強くホルダ部材内に保持させることができる。
【発明の効果】
【００１０】
本発明によれば、塗布部材を強くホルダ部材内に保持させることができる塗布具を提供できる。
【図面の簡単な説明】
【００１１】
【図１】実施形態に係る塗布具の縦断面図である。
【図２】実施形態に係る装着部材の平面図である。
【発明を実施するための形態】
【００１２】
以下、本発明の実施形態に係る塗布具１を図面に基づいて説明する。
図１に示すように、本実施形態にかかる塗布具１は、内容物が収容される例えば有底円筒状の容器本体２の口部３に装着されている。塗布具１は、容器本体２に装着された有頂円筒状の装着部材１１と、装着部材１１に取り付けられた円筒状のホルダ部材１２と、ホルダ部材１２の内側に配設された例えばウレタン等により形成されたスポンジ等で形成された円柱状の塗布部材１３と、ホルダ部材１２及び塗布部材１３を被覆する有頂円筒状のカバー部材１４と、を備える。
【００１３】
容器本体２、装着部材１１、ホルダ部材１２、塗布部材１３及びカバー部材１４は、それぞれの中心軸線が共通軸上に位置する状態で配設されている。以下、この共通軸を中心軸Ｏと称し、図１において中心軸Ｏに沿って容器本体２から塗布部材１３に向かう方向を上方、その逆方向を下方とする。また、中心軸Ｏから見た平面視で中心軸Ｏに直交する方向を径方向、中心軸Ｏ回りで周回する方向を周方向と称する。
【００１４】
容器本体２には、例えば液剤などの内容物が収容される。口部３の外周面には、径方向外側に向けて突出する第１取付突部３Ａが全周にわたって突設されている。
【００１５】
装着部材１１は、口部３の上端開口縁上に配設された平面視で円形板状の天板部２１（蓋部材）と、天板部２１の外周縁から下方に向けて連設され、口部３に装着される円筒状の内筒部２２と、内筒部２２よりも径方向外側に配設された外筒部２３と、内筒部２２及び外筒部２３を接続する平面視で円環状の接続部２４と、を有する。これら天板部２１、内筒部２２、外筒部２３及び接続部２４は、これらの中心軸線が中心軸Ｏ上に位置する状態で配設されている。
【００１６】
天板部２１は、容器本体２の口部３を閉塞する。天板部２１の中央部には、容器本体２内に連通する連通孔２１Ａが形成されており、天板部２１の連通孔２１Ａの開口縁には、円筒状の延長筒部２５が上方に向けて突設されている。延長筒部２５の上端部の内周面には、径方向内側に向けて突出する環状突出部２６が全周にわたって突設されている。また、天板部２１の下面には、口部３内に嵌め込まれる円筒状のシール筒部２７が下方に向けて突設されている。
【００１７】
内筒部２２の下端部の内周面には、径方向内側に向けて突出し、第１取付突部３Ａに係止される第１取付突起２２Ａが全周にわたって形成されており、内筒部２２は、口部３に対してアンダーカット嵌合されている。また、内筒部２２の上端部は、接続部２４よりも上方に突出しており、内筒部２２の上端部の外周面には、径方向外側に向けて突出する第２取付突起２２Ｂが全周にわたって形成されている。
【００１８】
外筒部２３は、上下方向の中間部に設けられた段差部よりも下側が上側よりも大径となるように形成されている。外筒部２３の上端部における外周面には、径方向外側に向けて突出する係合突起２３Ａが全周にわたって形成されている。
【００１９】
ホルダ部材１２は、連通孔２１Ａが形成された天板部２１を径方向外側から囲繞しており、その上端は、開口端となっている。また、ホルダ部材１２の上下方向の中間部の内周面には、径方向内側に向けて突出するとともに周方向の全周にわたって連続して延びる平面視で円環板状の装着突部３１が突設されている。
【００２０】
また、ホルダ部材１２の下端部には、径方向内側に向けて突出し、第２取付突起２２Ｂに係止される第２取付突部１２Ａが全周にわたって形成されており、装着部材１１の内筒部２２の上端部に嵌合されている。ホルダ部材１２の下端縁は、接続部２４の上面に当接している。
【００２１】
塗布部材１３の中央部には、上下方向に全長にわたって延在する貫通孔１３Ａが形成されており、延長筒部２５の外側に嵌め込まれている。また、塗布部材１３の上端部は、ホルダ部材１２の上端及び延長筒部２５の上端よりも上方に突出しており、連通孔２１Ａ及び延長筒部２５の内側を通って流出する内容物を保持し、加圧されることによって保持している内容物を滲み出させる。
塗布部材１３の上下方向の中間部の外周面には、装着突部３１が嵌合される例えばスリットなどの係合凹部１３Ｂが全周にわたって形成されている。係合凹部１３Ｂは、スリットに限らず、溝であってもよい。
【００２２】
ここで、天板部２１の上面には、塗布部材１３の下面に突き刺さる係止ピン２８が上方に向けて複数突設されている。
図２に示すように、本実施形態では、複数の係止ピン２８は、径方向に３列配列されるとともに、各径方向位置において周方向に沿って等間隔（４５°間隔）で並んでいる。複数の係止ピン２８のうち径方向の内側に配列された複数の係止ピン２８は、複数の係止ピン２８のうち径方向の外側に配列された複数の係止ピン２８と同じ周方向位置に位置している。また、複数の係止ピン２８のうち径方向の中間部に配列された複数の係止ピン２８は、複数の係止ピン２８のうち径方向の外側に配列された複数の係止ピン２８、及び複数の係止ピン２８のうち径方向の内側に配列された複数の係止ピン２８に対して、周方向にずれた位置に位置している。図１に示すように、係止ピン２８及び装着突部３１は、互いに上下に対向している。
【００２３】
カバー部材１４は、平面視で円形板状の天壁部４１と、天壁部４１の外周縁から下方に向けて延設された円筒状の周壁部４２と、を有する。
天壁部４１の中央部の下面には、延長筒部２５の内側に配設され、延長筒部２５の環状突出部２６に当接する円柱状の栓柱部４３が下方に向けて突設されている。栓柱部４３が環状突出部２６に当接することにより、連通孔２１Ａ及び延長筒部２５の内側を通した内容物の容器本体２内から外部への流通が遮断される。
周壁部４２の下端部の内周面には、外筒部２３の係合突起２３Ａに係止される係合突部４２Ａが形成されている。
【００２４】
以下、本実施形態の塗布具１の作用について説明する。
塗布具１を使用する際には、内容物が含浸された塗布部材１３を被塗布部に押し当てつつ摺動させることで、被塗布部に内容物を塗布する。このとき、塗布部材１３には、被塗布部に押し当てられることで外力が作用する。
【００２５】
ここで、天板部２１に塗布部材１３の下面に突き刺さる係止ピン２８が上方に向けて突設されている。このため、塗布部材１３のうち係合凹部１３Ｂよりも下方に位置する部分が環状の装着突部３１の内側に向かって径方向に変位することを規制でき、装着突部３１が係合凹部１３Ｂから外れることを防止できる。したがって、塗布部材１３を強くホルダ部材１２内に保持させることができる。
【００２６】
また、係止ピン２８及び装着突部３１は、互いに上下に対向しているため、塗布部材１３のうち係止ピン２８が突き刺された部分を、装着突部３１により上方から支持することができる。このため、塗布部材１３に係止ピン２８が突き刺さった状態を確実に維持することができ、塗布部材１３をより強くホルダ部材１２内に保持させることができる。
【００２７】
さらに、装着突部３１が周方向の全周に亘って連続して延びているため、装着突部３１による塗布部材１３の係止をより強固に行うことができる。したがって、塗布部材１３をより強くホルダ部材１２内に保持させることができる。
【００２８】
なお、本発明は、図面を参照して説明した上述の実施形態に限定されるものではなく、その技術的範囲において様々な変形例が考えられる。
例えば、上記実施形態においては、装着突部３１が周方向の全周にわたって連続して延びているが、これに限定されるものではなく、装着突部が周方向に沿って間欠的に設けられていてもよい。
【００２９】
また、上記実施形態においては、係止ピン２８が筒状の装着部材１１の天板部２１に突設されているが、これに限定されるものではなく、係止ピンは容器本体２の口部３を閉塞する部材（蓋部材）上に突設されていればよい。すなわち、内筒部２２及び外筒部２３を備えていない装着部材の天板部に係止ピンが突設される構成であってもよい。
【００３０】
また、上記実施形態においては、係止ピン２８が天板部２１のうち装着突部３１と上下に対向する部分に突設されているが、これに限定されるものではなく、係止ピンが天板部２１の全体に突設されていてもよい。
【００３１】
その他、本発明の趣旨を逸脱しない範囲で、上記した実施の形態における構成要素を周知の構成要素に置き換えることは適宜可能である。
【符号の説明】
【００３２】
１…塗布具  ２…容器本体  ３…口部  １２…ホルダ部材  １３…塗布部材  １３Ｂ…係合凹部  ２１…天板部（蓋部材）  ２１Ａ…連通孔  ２８…係止ピン  ３１…装着突部
【図１】
0006476072.tif 000002
【図２】
0006476072.tif 000003